(57)【要約】【課題】  操作パネルが倒れる運動を行う場合において、挿入口が狭いコネクタにおいても抜き差しが行い易く、異音等が生じないパネル開閉機構およびこのパネル開閉機構を用いた音響装置を提供すること。【解決手段】  操作パネル８０の回動により、本体部２０に対する該操作パネル８０の開閉を行えるパネル開閉機構１１であり、本体部２０に取り付けられているコネクタ４０の一方側４０ａと、操作パネル８０に取り付けられていると共に、コネクタ４０の一方側４０ａとの間で嵌合するコネクタ４０の他方側４０ｂと、操作パネル８０の一端側を回動自在に支持する固定アーム部材７０と、操作パネル８０の他端側を回動自在に支持すると共に、手前側に向かうスライドを可能とするスライドアーム部材５０と、スライドアーム部材５０を手前側に向けて押し出して、コネクタの一方側と他方側との嵌合を解除させる押し出し機構６０と、を具備する。【選択図】  図１０
2005235914.tif 000002
【特許請求の範囲】
【請求項１】
操作パネルの回動により、本体部に対する該操作パネルの開閉を行うことが可能なパネル開閉機構において、
上記本体部に取り付けられているコネクタの一方側と、
上記操作パネルに取り付けられていると共に、上記コネクタの一方側との間で嵌合する上記コネクタの他方側と、
上記操作パネルの一端側を回動自在に支持する第１のアーム部材と、
上記操作パネルの他端側を回動自在に支持すると共に、上記操作パネルの回動に先立って該他端側が上記本体部から離間する手前側に向かってスライドするのをガイドする第２のアーム部材と、
上記第２のアーム部材を手前側に向けて押し出して、上記コネクタの一方側と他方側との嵌合を解除させる押し出し機構と、
を具備することを特徴とするパネル開閉機構。
【請求項２】
前記操作パネルの他端側は、前記第２のアーム部材に対して軸支されていると共に、該第２のアーム部材が前記手前側に向かってスライドすることにより、前記操作パネルの他端側が前記手前側に向かってスライドするのをガイドすることを特徴とする請求項１記載のパネル開閉機構。
【請求項３】
前記操作パネルの他端側は、前記第２のアーム部材に設けられているスライド支持部を介してスライド自在に支持されると共に、前記第２のアーム部材が予め前記手前側に突出した状態に設けられることで、前記操作パネルの他端側が前記手前側に向かってスライドするのをガイドすることを特徴とする請求項１記載のパネル開閉機構。
【請求項４】
前記コネクタの一方側および他方側は、前記第１のアーム部材よりも前記第２のアーム部材に近接して設けられていることを特徴とする請求項１から３のいずれか１項に記載のパネル開閉機構。
【請求項５】
前記コネクタの一方側は、前記本体部の内部に設けられている回路基板に実装されていることを特徴とする請求項１から４のいずれか１項に記載のパネル開閉機構。
【請求項６】
前記第２のアーム部材には、前記操作パネルを回動自在に支持する支持軸が突出して設けられているアーム部と、前記本体部によってスライドがガイドされるスライドガイド部と、が設けられていることを特徴とする請求項１から５のいずれか１項に記載のパネル開閉機構。
【請求項７】
コネクタの一方側が取り付けられている第１の部材と、
上記コネクタの一方側との間で嵌合する上記コネクタの他方側が取り付けられている第２の部材と、
上記第２の部材の一端側を回動自在に支持する第１のアーム部材と、
上記第２の部材の他端側を回動自在に支持すると共に、上記第２の部材の回動に先立って該他端側が上記第１の部材から離間する手前側に向かってスライドするのをガイドする第２のアーム部材と、
上記第２のアーム部材を上記手前側に向けて押し出して、上記コネクタの一方側と他方側との嵌合を解除させる押し出し機構と、
を具備することを特徴とするパネル開閉機構。
【請求項８】
請求項１から７のいずれか１項に記載のパネル開閉機構を備えることを特徴とするパネル開閉機構を用いた音響装置。
【発明の詳細な説明】
【技術分野】
【０００１】
本発明は、パネル開閉機構およびこのパネル開閉機構を用いた音響装置に関する。
に関する。
【背景技術】
【０００２】
カーオーディオのような音響装置の中には、可倒式の操作パネルを備えるタイプのものが存在する。このタイプの音響装置の構成の一例を、図１４に示す。音響装置１のマザー基板２上には、ドータ基板３が設けられていて、このドータ基板３には、コネクタ４のメス側４ａが実装されている。また、ドータ基板３に近接してサブパネル５が設けられていて、このサブパネル５からアーム部材６が手前側に向かって突出している。アーム部材６には、軸受６ａが設けられていて、この軸受６ａに操作パネル７の支持軸７ａが回転自在に取り付けられる。それにより、軸受６ａによって操作パネル７が回動自在に支持されている。
【０００３】
また、操作パネル７には、コネクタ４のオス側４ｂが取り付けられている。このオス側４ｂは、操作パネル７が閉じた状態においては、コネクタ４のメス側４ａに嵌まり込む。それにより、コネクタ４のメス側４ａとオス側４ｂとは、通電状態となる。また、図１５に示すように、操作パネル７が支持軸７ａを中心に回動して倒れると、その動作に伴なってコネクタ４のオス側４ｂがメス側４ａから抜ける。
【０００４】
なお、このような音響装置１の例としては、特開平９−３２１４４９号に記載されているものがある。
【０００５】
【特許文献１】特開９−３２１４４９号公報（段落番号００３６、図１、図２参照）
【発明の開示】
【発明が解決しようとする課題】
【０００６】
上述の音響装置１においては、次のような課題がある。すなわち、図１６に示すように、現状の音響装置１においては、支持軸７ａとオス側４ｂのＡ部分（図１６においてオス側４ｂの左上方側の部位）との間の縦方向（上下方向）の距離ａがさほど長くなく、また横方向の距離ｂがさほど短くない。そのため、操作パネル７が回動する場合、Ａ部分は、支持軸７ａに対する高さ位置が一度高くなるような軌跡を描く（図中の一点鎖線で示す軌跡）。そのため、当該Ａ部分がメス側４ａの内部にぶつからないように、メス側４ａの挿入口４ｃの寸法ｃを大きくして、メス側４ａの内部上方に空間を形成する必要がある。
【０００７】
しかしながら、メス側４ａの挿入口４ｃが広くなると、メス側４ａとオス側４ｂとの間の位置ずれが起こり易く、そのため位置ずれによる接点不良という問題が発生し易くなる。また、挿入口４ｃが広くなる場合、メス側４ａとオス側４ｂとを確実に接触させるために、板バネを用いることが多い。しかしながら、板バネを用いる構成の場合、操作パネル７には、その開閉時に常に約１ｋｇの負荷が掛かり、抜き差しが難しくなる。また、特に板バネを用いる構成においては、オス側４ｂの抜き差し時に異音が発生し、ユーザに対する製品イメージが悪化する（安っぽい等）、といった問題も発生している。
【０００８】
本発明は上記の事情にもとづきなされたもので、その目的とするところは、操作パネルの開閉に伴ってコネクタの抜き差しが為される場合において、挿入口が狭いコネクタにおいても抜き差しが行い易く、異音等が生じないパネル開閉機構およびこのパネル開閉機構を用いた音響装置を提供しよう、とするものである。
【課題を解決するための手段】
【０００９】
上記課題を解決するために、本発明は、操作パネルの回動により、本体部に対する該操作パネルの開閉を行うことが可能なパネル開閉機構において、本体部に取り付けられているコネクタの一方側と、操作パネルに取り付けられていると共に、コネクタの一方側との間で嵌合する上記コネクタの他方側と、操作パネルの一端側を回動自在に支持する第１のアーム部材と、操作パネルの他端側を回動自在に支持すると共に、操作パネルの回動に先立って該他端側が本体部から離間する手前側に向かってスライドするのをガイドする第２のアーム部材と、第２のアーム部材を手前側に向けて押し出して、コネクタの一方側と他方側との嵌合を解除させる押し出し機構と、を具備するものである。
【００１０】
また、他の発明は、上述の発明に加えて更に、操作パネルの他端側は、第２のアーム部材に対して軸支されていると共に、該第２のアーム部材が手前側に向かってスライドすることにより、操作パネルの他端側が手前側に向かってスライドするのをガイドするものである。
【００１１】
さらに、他の発明は、上述の発明に加えて更に、操作パネルの他端側は、第２のアーム部材に設けられているスライド支持部を介してスライド自在に支持されると共に、第２のアーム部材が予め手前側に突出した状態に設けられることで、操作パネルの他端側が手前側に向かってスライドするのをガイドするものである。
【００１２】
また、他の発明は、上述の各発明に加えて更に、コネクタの一方側および他方側は、第１のアーム部材よりも第２のアーム部材に近接して設けられているものである。
【００１３】
さらに、他の発明は、上述の各発明に加えて更に、コネクタの一方側は、本体部の内部に設けられている回路基板に実装されているものである。
【００１４】
また、他の発明は、上述の各発明に加えて更に、第２のアーム部材には、操作パネルを回動自在に支持する支持軸が突出して設けられているアーム部と、本体部によってスライドがガイドされるスライドガイド部と、が設けられているものである。
【００１５】
さらに、他の発明は、コネクタの一方側が取り付けられている第１の部材と、コネクタの一方側との間で嵌合するコネクタの他方側が取り付けられている第２の部材と、第２の部材の一端側を回動自在に支持する第１のアーム部材と、第２の部材の他端側を回動自在に支持すると共に、第２の部材の回動に先立って該他端側が第１の部材から離間する手前側に向かってスライドするのをガイドする第２のアーム部材と、第２のアーム部材を手前側に向けて押し出して、コネクタの一方側と他方側との嵌合を解除させる押し出し機構と、を具備するものである。
【００１６】
また、他の発明は、上述のパネル機構に係る各発明を、音響装置に適用したものである。
【発明の効果】
【００１７】
本発明によると、操作パネルの開閉に伴ってコネクタの抜き差しが為される場合において、挿入口が狭いコネクタにおいても抜き差しが行い易くなる。また、コネクタの抜き差しに際して、異音等が生じるのを抑制することが可能となる。
【発明を実施するための最良の形態】
【００１８】
以下、本発明の一実施の形態に係るパネル機構およびこのパネル機構を用いた音響装置について、図１から図１０に基づいて説明する。図１は、本発明の一実施の形態に係る音響装置１０のうち、パネル開閉機構１１に係る側面形状を示す断面図であると共に、操作パネルが閉じている状態を示す図である。また、図２は、同じく操作パネルの他端側が手前側（図１中右側）に移動した状態を示す図である。さらに図３は、同じく操作パネルの他端側が手前側に移動した状態で、パネル面が完全に倒れた状態を示す図である。
【００１９】
なお、以下の説明においては、手前側とは、閉じ状態にある操作パネル８０（図１等参照）が開く側（外部ケース２０から離間する側）を指す。また、上下方向（縦方向）とはマザー基板２１（図１等参照）の法線方向を指し、横方向とは閉じ状態にある操作パネル８０の長手方向（図１の紙面に対して表裏方向）を指す。
【００２０】
図１〜図３に示すように、音響装置１０には、内部の各部品を覆う外部ケース２０（本体部の一部および第１の部材に対応）が設けられている。この外部ケース２０の内部には、回路基板としてのマザー基板２１が取り付けられると共に、ＣＤ、ＤＶＤおよびＭＤといった記録媒体に記録されている音楽データ等を再生するためのディスク再生機構（図示省略）が設けられている。なお、ディスク再生機構は、不図示のフローティング機構によって、外部ケース２０に対して弾性的に支持されている。
【００２１】
マザー基板２１には、音響装置１０の制御回路（図示省略）が設けられている。制御回路は、後述する操作パネルのボタン部からの信号を受信してディスク再生機構に駆動信号を送信したり、操作パネルに設けられているディスプレイに対して、所定の文字／画像等を表示させるための表示信号を送信している。また、制御回路は、記録媒体の搬入／搬出を行うための駆動源の駆動を制御する制御信号を、当該駆動源に送信可能としている。
【００２２】
なお、マザー基板２１に設けられる制御回路が、所定の文字／画像等の表示を行わなくても良く、例えば後述するサブパネル３０に制御回路を設け、かかるサブパネル３０上の制御回路にて、所定の文字／画像等の表示を制御するようにしても良い。同様に、記録媒体の搬入／搬出を行わせるための制御回路を、マザー基板２１とは別途の基板に設けるようにしても良い。
【００２３】
マザー基板２１の手前側の端部には、本体部の一部となるサブパネル３０が近接して配置されている。サブパネル３０は、外部ケース２０の手前側の開口部分を塞ぐように、該外部ケース２０に対して略垂直を為して取り付けられている。また、サブパネル３０は、図７に示すように、上方側から見た形状が、略Ｌ字状を為すように設けられている。すなわち、サブパネル３０は、前面部３０ａと、この前面部３０ａの法線方向に向かって折り曲げられているスリットガイド部３０ｂと、同じく前面部３０ａの法線方向に向かって折り曲げられているレールガイド部３０ｃと、を有している。なお、なお、スリットガイド部３０ｂおよびレールガイド部３０ｃは、前面部３０ａと同一のプレートから構成されていても良いし、スリットガイド部３０ｂおよびレールガイド部３０ｃは、前面部３０ａとは別体的なプレートを、当該前面部３０ａに取り付ける構成を採用しても良い。
【００２４】
図４に示すように、サブパネル３０の前面部３０ａには、ディスク挿入口３１が設けられていて、該ディスク挿入口３１を介して、外部ケース２０の内部に記録媒体が挿入可能となっている。なお、ディスク挿入口３１は、１つであっても複数設けられていても良い。また、サブパネル３０にはコネクタ挿通孔３２が設けられている。コネクタ挿通孔３２は、サブパネル３０の長手方向において、後述するスライドアーム部材５０の方が、固定アーム部材７０よりも近くなるように設けられている。このコネクタ挿通孔３２には、後述するコネクタ４０のメス側４０ａが挿通される。
【００２５】
図５に示すように、サブパネル３０のスリットガイド部３０ｂには、ガイド孔３３が設けられている。ガイド孔３３は、後述するスライドアーム部材５０のガイドピン５２を通すための孔であり、その外観は、外部ケース２０の底面に対して略平行となる長孔状に形成されている。本実施の形態では、かかるガイド孔３３が、スリットガイド部３０ｂの上下に１つずつ、計２つ設けられている。
【００２６】
また、図４および図７に示すように、本実施の形態では、スリットガイド部３０ｂに対向するように、レールガイド部３０ｃが設けられている。レールガイド部３０ｃは、凸状ガイド３５を有している。凸状ガイド３５は、レールガイド部３０ｃの他の部分よりも、スリットガイド部３０ｂに向かい突出している。また、凸状ガイド３５は、その外観がレール状となる長尺状に設けられていると共に、該凸状ガイド３５の長手方向が上述のガイド孔３３および外部ケース２０の底面に対して略平行を為すように設けられている。また、凸状ガイド３５は、本実施の形態では、上述のガイド孔３３と同様に、上下に１つずつ、計２つ設けられている。
【００２７】
なお、以下の説明では、スリットガイド部３０ｂとレールガイド部３０ｃとで挟まれた、スライドアーム部材５０が位置する空間部分を、アーム収納部３６とする。
【００２８】
また、本実施の形態では、レールガイド部３０ｃおよびアーム収納部３６は、サブパネル３０の長手方向のうち一方の端部にのみ設けられていて、他方の端部にはレールガイド部３０ｃおよびアーム収納部３６は、設けられていない。
【００２９】
また、上述のマザー基板２１のうち、手前側の端部には、コネクタ４０のメス側４０ａ（コネクタ４０の一方側に対応）が実装されている。メス側４０ａは、マザー基板２１よりも手前側に向かって突出していて、その先端側は上述のコネクタ挿通孔３２に挿通されている。それにより、メス側４０ａの端面に存在する挿入口４１（図４参照）は、サブパネル３０よりも手前側に位置している。なお、上述したコネクタ挿通孔３２と同様に、コネクタ４０のメス側４０ａは、サブパネル３０の長手方向において、後述するスライドアーム部材５０の方が、固定アーム部材７０よりも近くなるように設けられている。
【００３０】
図４および図７に示すように、上述のアーム収納部３６には、第２のアーム部材に対応するスライドアーム部材５０が配置されている。スライドアーム部材５０は、図５および図６に示すように、スライドガイド部５０ａと、アーム部５０ｂとを有している。
【００３１】
また、図７に示すように、スライドアーム部材５０は、押し出し機構６０により、手前側へのスライドを可能としている。押し出し機構６０は、アーム側ロッド部材６１と、ケース側ロッド部材６２と、爪部材６３と、バネ６４とを具備している。このうち、アーム側ロッド部材６１は、スライドアーム部材５０と一体的に設けられていて、バネ受け部６１ａにてバネ６４による付勢力を受け止め、かつフック部６１ｂにて爪部材６３と係合している。また、ケース側ロッド部材６２は、外部ケース２０側に固定的に設けられていて、バネ受け部６２ａにてバネ６４による付勢力を受け止めている。
【００３２】
また、爪部材６３は、アーム側ロッド部材６１に設けられているフック部６１ｂと係合可能であると共に、図７において左側に移動可能となっている。ここで、爪部材６３が図７において左側に移動すると、スライドアーム部材５０のアーム収納部３６への収納状態が解かれる。それにより、スライドアーム部材５０は、バネ６４の付勢力によって、手前側に押し出される。
【００３３】
図４に示すように、スライドアーム部材５０のうち、スライドガイド部５０ａには、ガイド溝５１が設けられている。ガイド溝５１は、スライドガイド部５０ａの両側面のうち、レールガイド部３０ｃ側の側面に設けられていて、当該側面から所定深さだけ窪んでいる。ガイド溝５１は、上述の凸状ガイド３５が嵌まり込む部分である。そのため、凸状ガイド３５に対応した間隔を有して、上下に１つずつ、計２つ設けられている。また、ガイド溝５１の両端部分は、開放している。すなわち、ガイド溝５１は、スライドガイド部５０ａの一方の側面を突っ切るように設けられている。そのため、凸状ガイド３５は、ガイド溝５１に対して出入自在となっている。
【００３４】
なお、スライドアーム部材５０は、上述のガイド溝５１を形成するために、十分な肉厚を有する、プレート状部材から構成されている。かかるスライドアーム部材５０の材質としては、例えば樹脂、金属部材等、種々の部材を用いることが可能である。
【００３５】
また、図４〜図７に示すように、スライドガイド部５０ａのうち、他方の側面（スリットガイド部３０ｂと対向する側面）には、ガイドピン５２が設けられている。ガイドピン５２は、上述のガイド孔３３に嵌まり込むピン部材であり、当該嵌まり込みに対応した十分な長さを有して突出している。このガイドピン５２は、上述した一対のガイド孔３３に対応する間隔を有して、上下に１つずつ、計２つ設けられている。なお、ガイドピン５２としては、例えば、突出端部側に向かうにつれて、その外径が徐々に細くなる先細り形状、段階的に細くなる多段形状、および丸棒状等、種々のピン形状を用いることが可能である。
【００３６】
また、図５および図６に示すように、スライドガイド部５０ａには、アーム部５０ｂが一体的に設けられている。アーム部５０ｂは、スライドアーム部材５０の下方側に位置していると共に、該アーム部５０ｂは、スライドガイド部５０ａの側辺に対して離間する向きに突出している。また、アーム部５０ｂには、支持軸５３が設けられている。支持軸５３は、アーム部５０ｂのうち、他方の側面（ガイドピン５２が設けられているのと同一の側面）から突出して設けられている。支持軸５３は、後述する操作パネル８０の支持孔８２に差し込まれ、該操作パネル８０の回動をガイド（軸支）可能となっている。
【００３７】
図８〜図１０に示すように、サブパネル３０の他方の端部側（図８〜図１０において右側）には、第１のアーム部材に対応する固定アーム部材７０が設けられている。固定アーム部材７０のうち、上述のアーム部５０ｂ（操作パネル８０）と対向する側面には、上述と同様な支持軸７１が設けられている。すなわち、操作パネル８０は、これら２つの支持軸５３，７１によって回動自在に支持される。
【００３８】
図１〜図３に示すように、第２の部材としての操作パネル８０は、そのパネル面８０ａに、各種操作ボタンおよびディスプレイ（共に図示省略）を有している。また、操作パネル８０は、その内部に回路基板８１を有していて、当該回路基板８１には光源等が実装されると共に、各種操作ボタンに対応したスイッチ（図示省略）が実装されている。また、回路基板８１には、該光源を発光させるための光源用回路、および各種操作ボタンに対応した操作信号を制御回路に送信するためのボタン用回路が設けられている。また、図８〜図１０に示すように、操作パネル８０のうち、長手方向の一端及び他端に存在する両側面の下方側には、各１つずつの支持孔８２が設けられている。各支持孔８２は、上述の支持軸５３，７１が夫々嵌まり込んで、操作パネル８０を回動自在に軸支する部分である。
【００３９】
図１〜図３および図８〜図１０に示すように、操作パネル８０の裏面側には、コネクタ４０のオス側４０ｂ（コネクタ４０の他方側に対応）が取り付けられていて、このオス側４０ｂは回路基板８１に実装されている。コネクタ４０のオス側４０ｂは、上述したコネクタ４０のメス側４０ａへの嵌まり込みに対応した部位に設けられている。すなわち、コネクタ４０のオス側４０ｂは、操作パネル８０の長手方向において、固定アーム部材７０との距離よりもスライドアーム部材５０との距離の方が小さい位置に設けられている。
【００４０】
なお、操作パネル８０は、例えば１ＤＩＮ、２ＤＩＮのサイズ等、横長のサイズとなっていて、該横長の長手の両端側に、それぞれスライドアーム部材５０および固定アーム部材７０が配置される構成となっている。すなわち、操作パネル８０の正面形状は、略長方形状（一側辺の方向が他側辺の方向よりも長い矩形状）となっていて、この長方形状の長手方向の両端側に、スライドアーム部材５０および固定アーム部材７０が夫々取り付けられている。
【００４１】
以上のような構成を有するパネル開閉機構１１、およびこのパネル開閉機構１１を用いた音響装置１０の動作について、以下に説明する。
【００４２】
ユーザが、操作パネル８０に設けられている不図示の開閉ボタンを押下すると、操作パネル８０の開き動作が実行され、爪部材６３が図７において左側に移動する。すなわち、爪部材６３とフック部６１ｂとの係止状態が解除される。すると、バネ６４の付勢力によって、スライドアーム部材５０が手前側に向かって押されて飛び出し、図１（図８）に示す状態から図２（図９）に示す状態となる。この状態では、操作パネル８０が手前側に押されると共に、固定アーム部材７０は飛び出さないため、操作パネル８０は片押しされて、図９に示すようにＸの向きに回転して、斜めに傾いた状態となる。
【００４３】
このとき、コネクタ４０のオス側４０ｂは、コネクタ４０のメス側４０ａから抜き取られる。また、操作パネル８０は、パネル面８０ａが手前側に平行に押されるのみで、手前側に倒れていない。
【００４４】
図８に示すように、操作パネル８０が傾斜する前の閉じ状態においては、コネクタ４０のオス側４０ｂのうち、最も奥側かつスリットガイド部３０ｂに近接している部分（オス側４０ｂのＢ部分）と支持軸７１との間には、サブパネル３０（閉じ状態にある操作パネル８０）の長手方向に沿って、距離ｐが存在している。また、コネクタ４０のオス側４０ｂのＢ部分と支持軸７１の間には、サブパネル３０の法線方向に沿って、距離ｑが存在している。この距離ｐ，ｑと、上述した従来例における、距離ａ，ｂ（図１６参照）との関係について述べる。
【００４５】
従来における距離ａは、操作パネル８０の短手方向における距離ａであると共に、本実施の形態における距離ｐは、閉じ状態にある操作パネル８０の長手方向における距離ｐである。また、図８〜図１０に示されるように、コネクタ４０は、固定アーム部材７０よりもスライドアーム部材５０に近接して設けられている。このため、例えばカーオーディオのような音響装置１０において、特に横方向に比較して縦方向（上下方向）の寸法の小さな１ＤＩＮ等のサイズの場合には、距離ｐの方が、距離ａよりも圧倒的に大きな値となる。また、２ＤＩＮのサイズにおいても、距離ｐが距離ａよりも大きいことは明らかである。
【００４６】
また、距離ｂと距離ｑについては、共に、サブパネル３０（操作パネル８０）の法線方向のうち、支持軸７１の中心部分からコネクタ４０のオス側４０ｂの奥側までの距離であり、両者の値は等しくなっている。そのため、Ｂ部分（図８参照）が描く軌跡は、従来におけるＡ部分（図１６参照）が描く軌跡よりも、円弧の半径が大きい。すなわち、Ｂ部分は緩やかなカーブの、曲率の小さな円弧を描きつつ回動する。
【００４７】
図９に示すように、操作パネル８０がＸの向きに向かって回動し、手前側に向けて十分突出された状態となった後に、操作パネル８０は、図３および図１０に示すように、パネル面８０ａが手前側に向かって倒れ、下方を向いた状態となる。かかる倒れる動作は、不図示のカム機構によって実現しても良く、またスライドアーム部材５０の急激な停止による慣性力を利用しても良い。なお、慣性力を利用する場合、操作パネル８０が回動するにつれて、回動速度が増大する。この場合、緩衝部材を設けて操作パネル８０の増速を防ぐようにしても良い。
【００４８】
このようにして、操作パネル８０が記録媒体の挿入の邪魔とならない部位に位置し、ディスク挿入口３１（図４参照）が出現する。そして、ユーザは、このディスク挿入口３１から記録媒体を挿入したり、排出後の記録媒体を抜き取ったりすることが可能となる。
【００４９】
このような構成のパネル開閉機構１１、およびこのパネル開閉機構１１を用いた音響装置１０によれば、スライドアーム部材５０のスライドにより、コネクタ４０のメス側４０ａとオス側４０ｂとの間の嵌合が外れる。すなわち、図８に示すように、Ｂ部分と支持軸７１との間に距離ｐが存在し、この距離ｐは、従来の距離ａよりも大きくなる。特に、コネクタ４０は、固定アーム部材７０よりもスライドアーム部材５０に近接して設けられていることにより、距離ｐは距離ａよりも大きくなる。このため、距離Ｂの回動により描く軌跡は、曲率の小さな緩やかなものとなる。それにより、Ｂ部分が、支持軸７１から離間する方向に向かう移動距離を低減でき、当該Ｂ部分はコネクタ４０のメス側４０ａの内壁面と干渉するのを抑えることができる。
【００５０】
そのため、メス側４０ａの挿入口４１の寸法を大きくする必要がなくなり、当該挿入口４１の広い特殊なコネクタを用いずに済む。それにより、汎用の安価なコネクタ４０を用いることが可能となり、コストの削減を図ることが可能となる。
【００５１】
また、挿入口４１の広いコネクタ４０を用いる必要がなくなるため、挿入口４１の広いコネクタ４０を用いていた場合に生じる、オス側４０ｂの位置ずれが生じなくなる。それにより、位置ずれによる接点不良、といった問題も生じなくなる。さらに、挿入口４１の広いコネクタ４０を用いずに済みため、挿入口４１の広いコネクタ４０を用いる場合に必要となる、板バネを用いずに済む。それにより、操作パネル８０の開閉時に負荷されていた、例えば１ｋｇ前後といった荷重が、操作パネル８０に付与されずに済み、コネクタ４０の抜き差しがし易くなる。また、コネクタ４０の挿入口４１を狭くすることが可能となるため、コネクタ４０の小型化を図ることが可能となる。
【００５２】
また、荷重の負荷が大幅に軽減されるので、オス側４０ｂの抜き差し時に異音が生じなくなり、ユーザに対する製品イメージを向上させることが可能となる。すなわち、製品に対して高級感を持たせることが可能となる。
【００５３】
また、コネクタ４０のメス側４０ａが、マザー基板２１に実装されている。そのため、従来のように、メス側４０ａの実装のためのドータ基板が不要となる。それにより、部品点数およびコストを削減することが可能となる。
【００５４】
さらに、本実施の形態では、スライドアーム部材５０が手前側に向かってスライドすることにより、操作パネル８０の他端側（スライドアーム部材５０側）が手前側に向かってスライドするのがガイドされる。特に、スライドアーム部材５０は、支持軸５３が突出して設けられているアーム部５０ｂと、ガイド孔３３によってスライドがガイドされるスライドガイド部５０ａと、を有している。それにより、操作パネル８０は、スライドが良好にガイドされる。また、操作パネル８０の閉じ状態においては、スライドアーム部材５０がアーム収納部３６に収納されるので、当該スライドアーム部材５０が突出して邪魔になることがない。
【００５５】
以上、本発明の一実施の形態について説明したが、本発明はこれ以外にも種々変形可能となっている。以下、それについて述べる。
【００５６】
上述の実施の形態では、バネ６４を有する押し出し機構６０を具備し、かかる押し出し機構６０によってスライドアーム部材５０を手前側に押し出し、それによって操作パネル８０の手前側に向かう回動を実現している。しかしながら、操作パネル８０の手前側に向かう回動を実現する構成は、上述の実施の形態の構成には限られない。かかる音響装置およびパネル開閉機構の変形例を、図１１〜図１３に示す。
【００５７】
図１１〜図１３に示す音響装置１００およびパネル開閉機構１０１は、押し出し機構６０を構成するプッシュレバー１１０を具備していて、このプッシュレバー１１０が手前側に向かってスライドすることによって、操作パネル８０が手前側に向かって押し出され、該操作パネル８０の回動が実現されている。
【００５８】
また、この構成では、スライドアーム部材５０に代えて、スライドガイド部５０ａを有さない、アーム部５０ａに対応する部分のみを有するアーム部材１１１（第２のアーム部材に対応）を備えている。このアーム部材１１１は、予め所定長さだけ突出していると共に、該アーム部材１１１の長手に沿って、長孔部１１２（スライド支持部に対応）が形成されている。また、操作パネル８０の側面下方部からは、支持軸１１３が突出していて、この支持軸１１３が長孔部１１２に嵌め込まれている。なお、アーム部材１１１は、奥側にスライド可能な構成とし、不使用時には収納可能としても良い。
【００５９】
このような構成の場合、操作パネル８０は、プッシュレバー１１０によって手前側に向かって押し出される。それにより、操作パネル８０は、支持軸７１（図８〜図１０参照）を中心として回動され、図１１に示すような閉じ状態から、図１２に示すようなスライド状態へと移行する。この状態からさらにプッシュレバー１１０を少しだけ押し出せば、図１３に示すように、パネル面８０ａを隠すように操作パネル８０が回動し、該操作パネル８０を倒すことができる。
【００６０】
また、上述の実施の形態では、押し出し機構６０は、バネ６４の付勢力によってスライドアーム部材５０を手前側に押し出している。しかしながら、押し出し機構６０はバネ６４の付勢力を利用する構成には限られず、例えばモータ、アクチュエータ等の駆動源を利用して、スライドアーム部材５０（プッシュレバー１１０）を押し出す構成を用いても良い。なお、この場合、駆動源の駆動を制御するために、別途制御回路等から構成される制御手段を用いるのが好ましい。制御手段を用いる場合、例えば作動ボタンの押下によって、制御手段が駆動源に対して所定の作動信号を送信する。それによって、駆動源が作動し、スライドアーム部材５０（プッシュレバー１１０）が押し出される。
【００６１】
また、上述の実施の形態では、コネクタ４０のメス側４０ａをマザー基板２１に実装すると共に、コネクタ４０のオス側４０ｂを操作パネル８０の回路基板８１に実装している。しかしながら、コネクタ４０のメス側４０ａとオス側４０ｂとの関係を逆にしても良い。すなわち、コネクタ４０のオス側４０ｂをコネクタ４０の一方側、コネクタ４０のメス側４０ａをコネクタ４０の他方側としても良い。
【００６２】
また、上述の実施の形態では、第１の部材として外部ケース２０、第２の部材として操作パネル８０を用いた場合について説明している。しかしながら、第１の部材および第２の部材はこれらには限られない。第１の部材の他の例としては、外部ケース２０に対して移動するシャーシ部分等が挙げられ、第２の部材としては、操作パネル８０以外のパネル部材、蓋部材等が挙げられる。
【００６３】
また、上述の実施の形態では、第１のアーム部材として固定アーム部材７０、第２のアーム部材としてスライドアーム部材５０を用いた場合について説明している。しかしながら、第１のアーム部材としては、上述のスライドアーム部材５０と同様な、スライド可能なアーム部材としても良い。また、第２のアーム部材としては、スライドするアーム部材以外の構成として、伸縮可能なアーム部材としても良い。
【００６４】
また、上述の実施の形態では、パネル開閉機構１１が、音響装置１０に適用された場合について説明している。しかしながら、パネル開閉機構１１が用いられる装置は、音響装置１０には限られない。音響装置１０以外の装置としては、例えば、映像または映像および音楽等の再生を行う、ビデオ再生装置、ＤＶＤ再生装置、カーナビゲーション装置、パーソナルコンピュータ、電話／ファックス等の通信機器等があり、各種の電気機器に適用可能である。
【産業上の利用可能性】
【００６５】
本発明の音響装置およびパネル機構は、自動車用の音響装置関連の分野において利用することができる。また、パネル開閉機構は、各種電気機器の分野において利用することができる。
【図面の簡単な説明】
【００６６】
【図１】本発明の一実施の形態に係る音響装置のパネル開閉機構の構成を示す側断面図であり、操作パネルが閉じている状態を示す図である。
【図２】図１の音響装置において、操作パネルの他端側が手前側に押し出され、操作パネルが回動した状態を示す側断面図である。
【図３】図１の音響装置において、パネル面を隠すように操作パネルが倒れた状態を示す側断面図である。
【図４】図１の音響装置において、操作パネルのパネル面の一部分を手前側から見た状態を示す正面図である。
【図５】図１の音響装置において、サブパネルの断面形状およびスライドアーム部材の形状を示す側面図であり、操作パネルが閉じ状態でスライドアーム部材が収納状態にある状態を示す図である。
【図６】図５の状態から、操作パネルが押し出されて、スライドアーム部材が手前側にスライドした状態を示すと共に、サブパネルの断面形状およびスライドアーム部材の形状を示す側面図である。
【図７】図１の音響装置において、サブパネルおよびスライドアーム部材のうち、アーム収納部付近の構成を示す平面図であり、所定高さで切断した断面図である。
【図８】図１の音響装置において、操作パネルが閉じている状態を示す平面図であり、所定高さで切断した断面図である。
【図９】図１の音響装置において、操作パネルの他端側が手前側に押し出されて回動した状態を示す平面図であり、所定高さで切断した断面図である。
【図１０】図１の音響装置において、パネル面を隠すように操作パネルが倒れた状態を示す平面図であり、所定高さで切断した断面図である。
【図１１】本発明の変形例に係り、プッシュレバーおよび長孔部を具備する音響装置のパネル開閉機構の構成を示す側断面図であり、操作パネルが閉じている状態を示す図である。
【図１２】図１１の音響装置において、操作パネルの他端側が手前側に押し出されて回動した状態を示す側断面図である。
【図１３】図１１の音響装置において、パネル面を隠すように操作パネルが倒れた状態を示す側断面図である。
【図１４】従来の音響装置のパネル開閉機構の構成を示す側断面図であり、操作パネルが閉じている状態を示す図である。
【図１５】図１５の音響装置において、操作パネルが回動している状態を示す側断面図である。
【図１６】図１５の音響装置において、コネクタのオス側のＡ部分と操作パネルの支持軸との間の距離の関係を示す側断面図である。
【符号の説明】
【００６７】
１０，１００…音響装置
１１，１０１…パネル開閉機構
２０…外部ケース（第１の部材に対応、本体部の一部）
２１…マザー基板
３０…サブパネル（本体部の一部）
３０ａ…前面部
３０ｂ…スリットガイド部
３０ｃ…レールガイド部
３３…ガイド孔
３５…凸状ガイド
３６…アーム収納部
４０…コネクタ
４０ａ…メス側（一方側に対応）
４０ｂ…オス側（他方側に対応）
５０…スライドアーム部材（第２のアーム部材に対応）
５０ａ…スライドガイド部
５０ｂ…アーム部
５１…ガイド溝
５３…支持軸
６０…押し出し機構
７０…固定アーム部材（第１のアーム部材に対応）
７１…支持軸
８０…操作パネル（第２の部材に対応）
【図１】
2005235914.tif 000003
【図２】
2005235914.tif 000004
【図３】
2005235914.tif 000005
【図４】
2005235914.tif 000006
【図５】
2005235914.tif 000007
【図６】
2005235914.tif 000008
【図７】
2005235914.tif 000009
【図８】
2005235914.tif 000010
【図９】
2005235914.tif 000011
【図１０】
2005235914.tif 000012
【図１１】
2005235914.tif 000013
【図１２】
2005235914.tif 000014
【図１３】
2005235914.tif 000015
【図１４】
2005235914.tif 000016
【図１５】
2005235914.tif 000017
【図１６】
2005235914.tif 000018